(57)【要約】【課題】塵埃を分散して吸込力を持続させることが可能な電気掃除機を提供する。【解決手段】電動送風機４の吸込側に連通し、通過する吸込風が含む塵埃を捕集する集塵部３を備える。集塵部３を回転可能として軸方向に挿入孔51を設ける。電動送風機４の吸込側を、集塵部３の軸方向に直交する方向の外周に対向させる。集塵部３の回転によって電動送風機４の駆動により吸い込む塵埃を集塵部３の周囲に分散させて、吸込力を持続させることができる。【選択図】図１
2009207746.tif 000002
【特許請求の範囲】
【請求項１】
駆動により吸込風を発生させる電動送風機を収容した掃除機本体と、
前記電動送風機の吸込側に連通し、通過する吸込風に含まれる塵埃を捕集する集塵部とを具備し、
前記集塵部は、回転可能に設けられているとともに軸方向に吸込口を備え、
前記電動送風機は、前記集塵部の軸方向に交差する方向の外周に吸込側が対向している
ことを特徴とした電気掃除機。
【請求項２】
集塵部は、電動送風機の駆動時に回転する
ことを特徴とした請求項１記載の電気掃除機。
【請求項３】
集塵部は、電動送風機の停止時に回転する
ことを特徴とした請求項１記載の電気掃除機。
【請求項４】
集塵部は、電動送風機の吸込風により回転する
ことを特徴とした請求項１または２記載の電気掃除機。
【請求項５】
集塵部を回転させる回転駆動手段を具備した
ことを特徴とした請求項１ないし３いずれか一記載の電気掃除機。
【請求項６】
集塵部に捕集した塵埃を除去する除塵手段を具備し、
前記除塵手段は、集塵部の回転によってこの集塵部の少なくとも一部を除塵する
ことを特徴とした請求項１ないし５いずれか一記載の電気掃除機。
【発明の詳細な説明】
【技術分野】
【０００１】
本発明は、駆動により吸込風を発生させる電動送風機を収容した電気掃除機に関する。
【背景技術】
【０００２】
従来、この種の電気掃除機は、電動送風機を収容した掃除機本体を備えている。この掃除機本体には、電動送風機の吸込側である吸気口に連通する集塵室が区画され、この集塵室には、集塵袋である紙パックが着脱可能に取り付けられる。また、掃除機本体には、集塵室の上流側および紙パックに連通する本体吸込口が形成され、この本体吸込口には、ホース体、延長管および床ブラシが順次連通接続される。そして、この電気掃除機は、電動送風機の駆動により発生した負圧によって床ブラシの先端側から空気とともに塵埃を吸い込み、紙パックによって吸込風を濾過して塵埃を捕集する（例えば、特許文献１参照。）。
【特許文献１】特開２００７−１５１６６０号公報（第４−８頁、図１−２）
【発明の開示】
【発明が解決しようとする課題】
【０００３】
しかしながら、上述の電気掃除機では、本体吸込口、紙パックおよび電動送風機の吸気口のそれぞれの位置が一定であるため、例えば微細な塵埃を吸い込んだ場合、紙パックの吸気口に対向する位置近傍が目詰まりし、吸込力が低下するおそれがあるという問題点を有している。
【０００４】
本発明は、このような点に鑑みなされたもので、塵埃を分散して吸込力を持続させることが可能な電気掃除機を提供することを目的とする。
【課題を解決するための手段】
【０００５】
本発明は、駆動により吸込風を発生させる電動送風機を収容した掃除機本体と、電動送風機の吸込側に連通し、通過する吸込風に含まれる塵埃を捕集する集塵部とを具備し、集塵部は、回転可能に設けられているとともに軸方向に吸込口を備え、電動送風機は、集塵部の軸方向に交差する方向の外周に吸込側が対向しているものである。
【発明の効果】
【０００６】
本発明によれば、集塵部を回転可能として、電動送風機の吸込側を集塵部の軸方向に交差する方向の外周に対向させることで、電動送風機の駆動により吸い込む塵埃を集塵部の周囲に分散させて、吸込力を持続させることができる。
【発明を実施するための最良の形態】
【０００７】
以下、本発明の第１の実施の形態の電気掃除機の構成を図１ないし図４を参照して説明する。
【０００８】
図１および図４において、１は掃除機本体で、この掃除機本体１は、外郭をなす本体ケース２と、この本体ケース２内に配置された略円筒状の集塵部３、電動送風機４、除塵手段としての塵落とし部５を備え、電動送風機４の駆動にて生じる吸込風とともに吸い込んだ被掃除面(床面)の塵埃を集塵部３にて集塵する電気掃除機である。
【０００９】
本体ケース２は、例えば合成樹脂などの部材により形成され、前後に長手状の下ケース11と、この下ケース11の上方に対向配置される前後に長手状の上ケース12と、これら下ケース11と上ケース12との間の後側の側部を覆う側部カバー13と、下ケース11と上ケース12との間の前側の側部を覆う集塵部カバー14とを有している。そして、この本体ケース２の内部には、下ケース11の上部に配置された集塵部支持板としての第１集塵部支持板(課部支持板)である下部仕切板15と、上ケース12の下部に配置された集塵部支持板としての第２集塵部支持板(上部支持板)である上部仕切板16とのそれぞれの後部の間でかつ側部カバー13間に位置する隔壁17が設けられ、これら仕切板15，16および隔壁17により、集塵部３を収容する集塵室18が前部に区画され、電動送風機４を収容する電動送風機室19が後部に区画されている。
【００１０】
下ケース11の下部には、被掃除面上の走行用の走行輪ともなる旋回輪21，22が前後にそれぞれ取り付けられている。また、この下ケース11は、集塵室18に対応する位置に、上ケース12との間に柱状の支持体23が複数形成され、これら支持体23により上ケース12と連結されている。
【００１１】
上ケース12には、集塵室18に連通する筒状の本体吸込口25が開口形成されている。この本体吸込口25は、上部仕切板16に挿通されて基端側が集塵室18に連通しているとともに、先端側が上ケース12よりも上方に突出し、この先端側にホース体26、延長管27および吸込口体としての床ブラシ28が順次連通接続される。ここで、ホース体26の先端側である延長管27との接続部には、手元操作部31が形成されており、この手元操作部31には、作業者が把持する把持部33が突設されている。また、上ケース12の後部には、電源スイッチ34が設けられている。なお、この電源スイッチ34は、把持部33に設けてもよい。さらに、上ケース12の集塵部３に対応する部分は、上下方向に回動して集塵室18を開閉可能な蓋体35となっている。
【００１２】
側部カバー13は、本体ケース２の後部両側および後部に亘って連続し、電動送風機室19の側部を覆っている。
【００１３】
集塵部カバー14は、例えば透光性を有する部材により形成され、集塵室18内の集塵部３が外部から目視できるように構成されている。
【００１４】
下部仕切板15は、集塵部３を上部に取り付ける平面視略円形状の板材であり、この下部仕切板15には、塵落とし部５とが取り付けられている。そして、この下部仕切板15は、下ケース11と隔壁17の前側との間に、中空な空間部である収容部36を区画している。
【００１５】
上部仕切板16は、集塵部３を下部仕切板15との間に保持する平面視略円形状の板材であり、この上部仕切板16には、本体吸込口25の下流側が挿入される丸孔状の挿入口38が開口形成されている。
【００１６】
隔壁17は、仕切板15，16の後部に沿って前面側が平面視で円弧状に湾曲している。また、この隔壁17は、上端部が上ケース12に対して離間されている。さらに、この隔壁17には、電動送風機４の吸込側と連通する丸孔状の吸気口41が開口形成されている。
【００１７】
集塵室18は、内部に集塵部３を収容する略円筒状の空間部である。
【００１８】
電動送風機室19は、吸気口41を介して集塵室18と連通する空間部である。
【００１９】
そして、集塵部３は、円板状の上下一対の支持板45，46と、これら支持板45，46間に位置する略円筒状の集塵袋である集塵パック47とを有し、支持板45，46が複数の連結体48によって互いに連結され、仕切板15，16間に周方向に回転自在に軸支されている。すなわち、この集塵部３は、上下方向に沿って軸方向を有している。
【００２０】
上側の支持板45は、上部仕切板16の下面に対向して位置しており、この上部仕切板16の挿入口38に挿入された本体吸込口25の下流側である下端側が挿入される吸込口としての丸孔状の挿入孔51が中央部に開口形成されている。したがって、集塵部３は、この挿入孔51に挿入された本体吸込口25により、集塵部３の上側が回転自在に軸支されている。換言すれば、挿入孔51は、集塵部３の軸方向に沿って、かつ、この集塵部３の中心軸に対応する位置に開口形成されている。また、この支持板45の上部には、挿入口51の外周縁に沿って、この挿入口51と本体吸込口25とを気密に接続するための円環状のシール部材52が取り付けられている。さらに、この支持板45の下部には、集塵パック47の上部を保持する集塵袋保持体としての保持板53が配置され、この保持板52が、支持板45の下部に突出した複数の爪部54によって支持板45に対して回り止め固定されている。
【００２１】
保持板53は、下側の支持板46との間でかつ集塵パック47の外方に、集塵部３を電動送風機４の吸込風によって回転させるための複数の風受部材としてのブレード部材であるフィン56が取り付けられている。これらフィン56は、図２に示すように、上下方向に沿って長手状の板状部材であり、集塵部３の周方向に略等間隔に順次配置されている。また、これらフィン56は、幅方向の一側が中心軸側に位置し、幅方向の他側が外周側に位置するように、すなわち、断面が集塵部３の中心軸側から径方向に沿って放射状となっている。さらに、これらフィン56は、断面がそれぞれ円弧状に湾曲しており、集塵部３の内周側の端部よりも外周側の端部が集塵部３の周方向に向けて突出している。したがって、これらフィン56により集塵部３の回転方向が設定されている。すなわち、集塵部３の回転方向は、各フィン56の外周側の端部の突出方向となっている。
【００２２】
また、図１に示すように、下側の支持板46は、上側の支持板45と略等しい外形寸法を有し、外周面全体にギヤ状のギヤ部46aが形成され、このギヤ部46aが塵落とし部５に対して歯合されている。また、この下側の支持板46の中央部の下部には、下部仕切板15の中央部から上方に向けて突出された円柱状の集塵部回転軸57が挿入されて回転自在に軸支される略円筒状の軸受部46bが形成されている。
【００２３】
集塵部回転軸57は、下ケース11の前側の上面から収容部36内にて上方向に突出した略円筒状のボスである回転軸支部59により回転可能に保持されて下部仕切板15上に突出している。
【００２４】
集塵パック47は、単数、あるいは重ね合わせた複数の濾材を円筒状として形成されている。したがって、この集塵パック47は、濾過面が円筒状となっており、この濾過面が電動送風機４の吸込側である吸気口41に対向するように配置されている。換言すれば、集塵パック47の濾過面には、電動送風機４の吸込側が、集塵部３の軸方向と交差する方向、本実施の形態では略直交する方向に対向している。また、この集塵パック47は、外周面がフィン56の内側端近傍に位置するように径寸法が設定されている。さらに、この集塵パック47の上下には、この集塵パック47の上下端を覆う覆い板61，62がそれぞれ取り付けられている。
【００２５】
上側の覆い板61には、集塵パック47の口板となるもので、例えば厚紙などにより形成され、本体吸込口25が挿入される丸孔状の開口64が中央部に開口形成されている。
【００２６】
下側の覆い板62は、集塵パック47の底板となるもので、上側の覆い板61と同様に、例えば厚紙などにより形成されている。
【００２７】
連結体48は、上下に長手状の略円筒状に形成され、フィン56の外方に位置し、集塵部３の周方向に略等間隔に配置されている。なお、これら連結体48は、フィン56間の通気を妨げないように、必要最小限の数が設けられている。すなわち、これら連結体48は、例えば４本程度であり、各連結体48，48間にそれぞれ５つ程度のフィン56が配置されている。
【００２８】
電動送風機４は、送風機本体66と、この送風機本体66を覆うモータカバー67とを備え、電動送風機室19内に配置されている。そして、この電動送風機４は、電動送風機室19内にて吸気口41と連通して配置された風路体68を介して、吸込側が吸気口41と気密に接続されている。また、この電動送風機４は、電源コード69を介して電源に接続可能となっている。さらに、この電動送風機４は、モータカバー67の上部に配置された制御部70によってその動作が制御されている。
【００２９】
送風機本体66は、有底円筒状のケース体71に収容された電動部である電動機と、この電動機の回転軸に接続されファンカバー72により覆われたファンである遠心ファンとを備えた、いわゆるファンモータであり、ファンカバーの前側の周囲に取り付けられた緩衝部材としての前部モータクッション73と、ケース体71の後部に取り付けられた緩衝部材としての後部モータクッション74とがモータカバー67によって挟持されることで、このモータカバー67に対して水平状に弾性保持されている。また、ケース体71には、排気用の角孔状の排気孔75が周方向に複数開口形成されている。
【００３０】
モータカバー67は、下側が開口した上部カバー77と、上側が開口した下部カバー78とを上下に対向配置させて構成され、例えば合成樹脂などによって形成されて、下ケース11の後側の上面から突出して形成されたカバー保持部81に下部カバー78の下端側が保持されている。そして、下部カバー78の下部には、丸孔状の排気開口83が開口形成され、この排気開口83がカバー保持部81に開口形成された丸孔状の連通口84を介して、本体ケース２の後部に形成された排気口85と連通している。
【００３１】
風路体68は、吸気口41に接続される略円筒状の接続筒部87と、この接続筒部87の下流側の外周に一体に設けられた略円筒状の消音部88とを備えている。
【００３２】
接続筒部87は、前後に沿って軸方向を有し、この軸方向に長手状に形成されている。
【００３３】
消音部88は、接続筒部87よりも大径に形成された減圧用の空間部であり、接続筒部87の下流側である後端側の外周面に開口形成された通気開口89を介して接続筒部87の内部と連通している。なお、この消音部88の後面は、前部モータクッション73の前部に対して若干離間されているが、電動送風機４の駆動により前部モータクッション73が相対的に吸い付けられて接続筒部87が電動送風機４の吸込側と気密に接続されるように構成されている。
【００３４】
電源コード69は、送風機本体66の電動機および制御部70などに電気的に接続されている。なお、この電源コード69は、例えばコードリールなどに引き出し可能に巻回し、このコードリールを介して電動機および制御部70などと電気的に接続してもよい。
【００３５】
制御部70は、図示しないＩＣなどにより所定の制御回路を構成している。
【００３６】
また、塵落とし部５は、図３に示すように、略円柱状の塵落とし部本体91と、この塵落とし部本体91を保持する保持部92と、付勢手段としてのトーションばね93とを有している。さらに、この塵落とし部５は、本体ケース２の幅方向の中心に対して吸気口41と反対側で、かつ、集塵部３の前方に位置している。
【００３７】
塵落とし部本体91は、下ケース11の前側の上面から収容部36内に上方へと突出した円筒状のボスである塵落とし受部95に保持されて下部仕切板15上に突出している。また、この塵落とし部本体91の上端部には、集塵部３の支持板46のギヤ部46aに歯合する歯合部である腕部96aが外周面に突出して設けられた歯合部本体としての腕部リング96が螺子97により取り付けられている。この腕部リング96は、塵落とし部本体91に対して回動可能に取り付けられている。
【００３８】
保持部92は、略円筒状に形成されて下部仕切板15の上部に位置している。
【００３９】
トーションばね93は、塵落とし部本体91に対して腕部リング96を集塵部３の回動方向と反対方向、すなわちフィン56の湾曲方向と反対方向へと付勢するものである。
【００４０】
次に、上記第１の実施の形態の動作を説明する。
【００４１】
まず、作業者は、集塵室18に集塵パック47を取り付ける。すなわち、蓋体35を開き、上部仕切板16、上側の支持板45などを取り外した上で、覆い板61，62とともに集塵パック47を下側の支持板45上に載置し、支持板45および上部仕切板16などを順次戻して蓋体35を閉じる。
【００４２】
この状態で、作業者は、本体吸込口25に対してホース体26、延長管27および床ブラシ28を順次接続し、電源コード69を図示しないコンセントなどに接続し、電源スイッチ34を操作して電気掃除機を起動させる。
【００４３】
電源からの給電により駆動した電動送風機４は、風路体68、吸気口41、集塵室18および本体吸込口25を介して、ホース体26、延長管27および床ブラシ28へと負圧を作用させる。
【００４４】
このため、作業者が把持部33を把持して床ブラシ28を被掃除面上で前後に走行させることにより、上記負圧によって、被掃除面上の塵埃が空気とともに床ブラシ28の先端から吸い込まれる。
【００４５】
この吸い込まれた空気は吸込風となり、塵埃とともに、床ブラシ28、延長管27、ホース体26および本体吸込口25を介して集塵部３の挿入孔51から集塵パック47の内側へと吸い込まれ、この集塵パック47を通過する際に、含まれる塵埃が濾過されて捕集される。
【００４６】
さらに、この吸込風が、集塵パック47から集塵室18の吸気口41へと吸い込まれる際にフィン56に当たることで、これらフィン56によって集塵部３が回転し、吸気口41に対向する位置に対して集塵部３の回転方向の後側の位置の集塵パック47の濾過面が吸気口41側に対向する位置となる。すなわち、集塵パック47は、常に新しい濾過面が吸気口41に対向するように回転する。
【００４７】
また、この集塵部３の回転により、集塵パック47の内方に捕集された塵埃を１箇所に集中させることなく分散(離散)させる。
【００４８】
同時に、集塵部３の回転により、下側の支持板46のギヤ部46aに歯合している塵落とし部５の腕部リング96の腕部96aは、トーションばね93の付勢に抗して集塵部３の回転方向へと追従するように回転した後、ギヤ部46aの山部を乗り越えると、トーションばね93の付勢によって集塵部３の回転方向と反対方向へと復帰して集塵部３の回転方向後側に位置するギヤ部46aの山部に当接することで集塵部３に順次衝撃(振動)を与え、この衝撃によって集塵パック47に付着した細塵をこの集塵パック47から払い落として除去する。
【００４９】
吸気口41へと吸い込まれた吸込風は、風路体68の接続筒部87へと流入する。この接続筒部87の下流側は、通気開口89を介して消音部88と連通していることで、この消音部88により吸込風が減圧され、消音化される。
【００５０】
さらに、吸込風は、電動送風機４へと吸い込まれ、電動機を冷却した後、排気孔75からケース体71の外部であるモータカバー67の内部へと排気風として排気され、下部カバー78の排気開口83から連通口84および排気口85を介して本体ケース２の外部へと排気される。
【００５１】
掃除が終了すると、電源スイッチ34を操作して電動送風機４を停止させる。
【００５２】
集塵パック47内に所定量以上の塵埃が溜まった場合には、蓋体35を開き、上部仕切板16、上側の支持板45などを取り外して集塵パック47を取り外して覆い板61，62とともに廃棄し、新たな集塵パック47を集塵部３に取り付けて、支持板45および上部仕切板16などを順次戻して蓋体35を閉じる。
【００５３】
上述したように、上記第１の実施の形態では、集塵部３を回転可能として、電動送風機４の吸込側を集塵部３の軸方向に交差(直交)する方向の外周に対向させる構成とした。
【００５４】
すなわち、電動送風機４が駆動すると、集塵部３の挿入孔51から、この電動送風機４の吸込側である吸気口41へと吸込風が流れることで、この吸込風の流線上に位置する集塵パック47の濾過面に塵埃が集中しやすくなり、特に吸込風に微細塵が含まれる場合には、集塵パック47の吸気口41に対向する濾過面が目詰まりして吸込力が低下することがあるので、集塵部３を回転可能とすることで吸気口41に対向する集塵パック47の濾過面の位置を可変させて集塵パック47の吸気口41に対向する濾過面の目詰まりを防止し、吸込力を持続させることができ、効率よく集塵できる。
【００５５】
しかも、この集塵部３の回転により、集塵パック47内に捕集された塵埃が吸気口41側に偏ることなく分散されるので、偏った塵埃により集塵パック47の濾過面が遮られて吸込力が低下することもない。
【００５６】
また、集塵部３が電動送風機４の駆動時に回転することにより、吸気口41に対向する集塵パック47の濾過面が掃除中に常に新しくなり、集塵パック47の目詰まりを、より効率よく防止できる。
【００５７】
すなわち、塵埃は、集塵部３の回転により、この回転と反対方向に球状あるいは棒状となって移動することになる。集塵部３の１週目には、集塵パック47の新たな濾過面が電動送風機４の吸込側(吸気口41)に対向し、集塵パック47内に塵埃が多く溜まってくると球状あるいは棒状の塵埃が濾過面に付着した塵埃を剥ぎ取りながら移動し、この動作が、塵埃が集塵パック47内にいっぱいとなって移動できなくなるまで継続するので、集塵量を増加させることができる。
【００５８】
さらに、集塵部３が、電動送風機４の駆動によって形成された吸込風により回転することで、集塵部３を回転させるための駆動源を別途必要とせず、構成を簡略化できる。
【００５９】
そして、集塵部３の回転によってこの集塵部３の少なくとも一部を除塵する塵落とし部５を設けることで、集塵パック47の濾過面を除塵しながら集塵部３を回転させることができ、集塵パック47の濾過面がより目詰まりしにくくなり、吸込力がより低下しにくくなる。
【００６０】
しかも、塵落とし部５は、集塵パック47の集塵部３の回転によりこれから吸気口41に対向する対向予定部、すなわち吸気口41に対向する濾過面よりも集塵部３の回転方向後側の位置に設けているため、この塵落とし部５によって除塵された集塵パック47の濾過面が集塵部３の回転によって吸気口41に対向するので、除塵された濾過面が吸気口41に対して常に対向するようになり、集塵効率を向上できる。
【００６１】
次に、第２の実施の形態を図５を参照して説明する。なお、上記第１の実施の形態と同様の構成および作用については、同一符号を付してその説明を省略する。
【００６２】
この第２の実施の形態は、上記第１の実施の形態において、集塵部３を回転駆動させる回転駆動手段としての駆動部101を備えるものである。
【００６３】
駆動部101は、駆動手段としてのモータ103と、このモータ103の回転軸104に取り付けられた駆動伝達手段としての回動ギヤ105と、この回動ギヤ105に歯合されるとともに集塵部３の下側の支持板46の下部でかつ下部仕切板15の上方に配置された被駆動部としての集塵部回転ギヤ106に歯合される接続手段としての接続ギヤ107とを有しており、本体ケース２の幅方向の中心に対して吸気口41と反対側で、かつ、集塵部３の後側寄りに位置している。
【００６４】
モータ103は、電源コード69などを介して給電され、制御部70によって駆動が制御されるもので、回転軸104の先端側が上方向となるように下部仕切板15に取り付けられ、下側が収容部36内に収容されている。また、このモータ103は、減速機109を備え、回転軸104がこの減速機109から突出している。
【００６５】
集塵部回転ギヤ106は、下側の支持板46に対して集塵部回転軸57に同軸に一体的に取り付けられている。すなわち、この集塵部回転ギヤ106は、支持板46(集塵部３)とともに回転するように構成されている。
【００６６】
接続ギヤ107は、下ケース11から上方に向けて収容部36内に突出したボス状のギヤ軸支部111に回動可能に軸支されている。なお、この接続ギヤ107は、回動ギヤ105の回動を集塵部回転ギヤ106に伝達できれば、複数のギヤにより構成されたギヤ列などでもよく、回動ギヤ105を集塵部回転ギヤ106に直接歯合させることで省略してもよい。
【００６７】
また、本実施の形態では、フィン56は必ずしも設けなくてもよい。
【００６８】
そして、駆動部101は、例えば電動送風機４の駆動時や、電源スイッチ34を操作して電動送風機４が駆動する直前あるいは電動送風機４の停止直後などの電動送風機４の停止時などに、集塵部３を所定角度回動させる。
【００６９】
このように、集塵部３を回転可能として、電動送風機４の吸込側を集塵部３の軸方向に交差(直交)する方向の外周に対向させるなど、上記第１の実施の形態と同様の構成を有することにより、上記第１の実施の形態と同様の作用効果を奏することができるとともに、駆動部101により集塵部３を回転させることで、集塵部３の回転速度(回転数、回転角度)の制御が容易になる。
【００７０】
また、駆動部101により集塵部３を電動送風機４の駆動時に回転させる場合には、吸気口41に対向する集塵パック47の濾過面が掃除中に常に新しくなり、集塵パック47の目詰まりを、より効率よく防止できる。すなわち、塵埃は、集塵部３の回転により、この回転と反対方向に球状あるいは棒状となって移動することになる。集塵部３の１週目には、集塵パック47の新たな濾過面が電動送風機４の吸込側(吸気口41)に対向し、集塵パック47内に塵埃が多く溜まってくると球状あるいは棒状の塵埃が濾過面に付着した塵埃を剥ぎ取りながら移動し、この動作が、塵埃が集塵パック47内にいっぱいとなって移動できなくなるまで継続するので、集塵量を増加させることができる。
【００７１】
一方、駆動部101により集塵部３を電動送風機４の停止時に回転させる場合には、電動送風機４の駆動時に集塵部３を回転させる場合と比較して、負圧による塵埃の圧縮によって塵埃同士の絡み付きが強くなるので、集塵部３の回転によって塵埃がこの回転と反対方向に球状あるいは棒状となって移動する際に集塵パック47の濾過面からの塵埃の剥ぎ取りが強く(多く)なり、集塵パック47が目詰まりしにくいとともに、集塵部３の回転が電動送風機４の負荷になることがない。
【００７２】
なお、上記第２の実施の形態において、駆動部101は、集塵部３を回転させることができれば、上記構成に限定されない。
【００７３】
また、上記各実施の形態において、塵落とし部５は、集塵部３の回転により集塵パック47に付着した塵埃を除去できれば、任意に構成できる。
【００７４】
さらに、集塵パック47は、円筒状だけでなく、例えば角筒状などとしてもよい。
【００７５】
そして、電気掃除機の細部は、上記構成に限定されるものではなく、例えばハンディ型、あるいは自律走行型の電気掃除機などにも対応して用いることができる。
【図面の簡単な説明】
【００７６】
【図１】本発明の第１の実施の形態の電気掃除機を示す縦断面図である。
【図２】同上電気掃除機の集塵部の要部を拡大して示す斜視図である。
【図３】同上電気掃除機の除塵手段を拡大して示す斜視図である。
【図４】同上電気掃除機を示す斜視図である。
【図５】本発明の第２の実施の形態の電気掃除機を示す縦断面図である。
【符号の説明】
【００７７】
１    掃除機本体
３    集塵部
４    電動送風機
５    除塵手段としての塵落とし部
51    吸込口としての挿入孔
101   回転駆動手段としての駆動部
【図１】
2009207746.tif 000003
【図２】
2009207746.tif 000004
【図３】
2009207746.tif 000005
【図４】
2009207746.tif 000006
【図５】
2009207746.tif 000007